(57)【特許請求の範囲】
【請求項１】
錠本体の裏面に、リング錠が取り付けられる自転車の後ホークの長さ方向に沿う左右一対の取付け金具を備え、各取付け金具の両端に、後フォークに巻き回した取付けバンドの緊締と共に該取付けバンドの上下においてそれぞれ後フォークに当接してリング錠と後フォークとの間に所定の取付け間隙を形成する起立片を設けた自転車用リング錠において、前記上下の起立片は、上下の間隔がリング錠の外側で広く内側で狭くなるように互いに非平行に起立されるとともに、高さが外側で高く内側で低くなるようにそれぞれ台形に形成されていることを特徴とする自転車用リング錠。
【発明の詳細な説明】
【０００１】
【発明の属する技術分野】
この発明は、下部両端の開口部を対向させて中空の馬蹄形をなす錠本体内に、後端から復元ばねに牽引される円弧形の錠杆を嵌装して、自転車の後ホークに取り付けられる自転車用リング錠に関し、錠本体の裏面に備えられた左右一対の取付け金具と取付けバンドとによるリング錠の装着が安定して強固にできるようにしたことを特長とするものである。
【０００２】
【従来の技術】
リング錠の錠本体の裏面に、それぞれ自転車の後ホークの長さ方向に沿う左右一対の取付け金具を備え、各取付け金具の上下の両端に設けた起立片を、取付けバンドの緊締と共に後フォークの側面に当接させて、リング錠と後フォークとの間に所定の取付け間隙を形成させるようにした自転車用リング錠には、例えば実開平３ー６３４８４号公報がある。
【０００３】
【発明が解決しようとする課題】
上記先願のリング錠は、取付け金具の両端に設ける起立片が上下で互いに平行に起立して、かつ、高さが一定の長方形に形成されている。
そのために、従来のリング錠は、取付け金具の起立片が後ホークの当接位置において上下で互いに平行して、後ホークの横断方向に沿って容易に左右に滑り易い圧接状態を形成する。また、起立片がそれぞれ長方形であることも上記左右の横滑りを助長することになり、リング錠の装着が長期間安定し難く、強固に取り付け難いという欠点を生ずる。
【０００４】
上記のようなことから本発明が解決すべき課題は、従来の自転車用リング錠における取付け金具の欠点を除去して、リング錠の装着位置を長期間安定して強固に維持できるようにすることにある。
【０００５】
【課題を解決するための手段】
そこで本発明は、錠本体の裏面に、リング錠が取り付けられる自転車の後ホークの長さ方向に沿う左右一対の取付け金具を備え、各取付け金具の両端に、後フォークに巻き回した取付けバンドの緊締と共に該取付けバンドの上下においてそれぞれ後フォークに当接してリング錠と後フォークとの間に所定の取付け間隙を形成する起立片を設けた自転車用リング錠において、前記上下の起立片は、上下の間隔がリング錠の外側で広く内側で狭くなるように互いに非平行に起立されるとともに、高さが外側で高く内側で低くなるようにそれぞれ台形に形成されていることを特徴とする自転車用リング錠を提供するものである。
【０００６】
本発明リング錠は、図１，２に示すように、左右の取付け金具の両端にそれぞれ起立する起立片が外側で広く内側で狭くなるように互いに非平行に起立されているので、自転車に取り付けられたリング錠に横からの外力が作用した場合に、後ホークに圧接している上下の起立片の間隔が狭くなる方向にも広くなる方向にも左右一対の取付け金具間に抵抗を形成して横ずれを防止する。
また、同時に、上下の起立片は後ホークに対して非平行に圧接するので、平行に圧接させていた従来品に比べて後ホークの縦方向（長さ方向）の滑りも抑制される。
【０００７】
更に各起立片は、図１，３に示すように、高さがリング錠の外側で高く内側で低くなるように傾斜してそれぞれ台形に形成されているいるので、それぞれが両側から打ち込まれたくさび状に相互に作用し合って、左右の取付け金具の横滑りを抑止され、装着位置でのリング錠の横ずれが防止される。また、後ホークへの取り付けが強固にできる。
本発明は、以上のようにして前記の課題を解決したものである。
【０００８】
【実施例】
以下に本発明の実施例を図面について説明する。
図１に示すように、このリング錠１は、中空で馬蹄形をなし、タイヤの施錠間隔に対応して両端の開口部３を対向させた錠本体２と、錠本体２の側方に把手４’を回動可能に突出させ、図示省略の復元ばねに後端から牽引されつつ開口部３間を往復するように錠本体２内に摺動自在に嵌装された円弧形の錠杆４と、一部を錠本体２の表側上部一側に突出させてキー５’の回転操作により錠杆４の施錠を開閉するように備えられた錠機構５と、錠本体２の裏面に取り付けられる左右一対の取付け金具６と、取付け金具６と共に自転車の後ホークに緊締される取付けバンド７とを有する。
【０００９】
左右一対の取付け金具６は、図２に示すように、自転車の後ホークの長さ方向に沿うように下部を左右に拡げて錠本体２の裏面にリベット８で固定され、かつ、それぞれ両端（上下）に適宜の高さに起立する起立片９a ，９b ，９c ，９d を設けている。
【００１０】
図２に示すように錠本体２の裏面の左右でそれぞれ上下をなす起立片９ａ，９ｂと、起立片９ｃ，９ｄは、互いに非平行で、リング錠１の円弧の内側の間隔Ａよりも外側の間隔Ｂが大となるように設けられている。
更に各起立片９ａ，９ｂ，９ｃ，９ｄは、図１，３に示すようにそれぞれ台形で、リング錠１の円弧の内側になる高さＣよりも外側になる高さＤの方が高くなるように傾斜した縁辺９’を有する。
【００１１】
取付けバンド７はこの実施例において、取付け金具６とは別体に備えられ、図１に示すように、中央部を台形に折り曲げた取付け金具６と錠本体２の裏面との間に挿通され、一端にねじ座１０を備え、他端に長孔１１を備え、図３に示すように自転車の後ホーク１２を両側から巻回して、両端部を挿通する止めねじ１３の螺締により、取付け金具６と共にそれぞれ後ホーク１２に緊迫されて、リング錠１を所望の装着位置に緊締する。
【００１２】
取付けバンド７による後ホーク１２への緊締と共に、左右の取付け金具６は、図３に示すように各起立片９a ，９b ，９c ，９d の傾斜した縁辺９’を後ホーク１２の側面に圧接させて、リング錠１と後ホーク１２との間に所定の取付け間隙Ｅを形成する。
【００１３】
リング錠１は、左右の取付け金具６の両端にそれぞれ起立する起立片９a ，９b 、９c ，９d が外側で広く内側で狭くなるように互いに非平行に起立されているので、装着位置において横からの外力が作用した場合に、後ホーク１２に圧接している上下の起立片９a ，９b ，９c ，９d の間隔が狭くなる方向にも広くなる方向にも、左右一対の取付け金具６間に抵抗を形成して横滑りを防止する。
【００１４】
さらに各起立片９a ，９b ，９c ，９d は、図１，３に示すように、高さがリング錠１の外側で高く内側で低くなるように傾斜してそれぞれ台形に形成されているいるので、それぞれが相互に両側から打ち込まれたくさび状に作用し合って、左右の取付け金具６の横滑りを抑止し、該取付け金具６を介してリング錠１の取り付けが強固にでき、安定を保つようになる。
【００１５】
また、それぞれ上下の起立片９a ，９b 、９c ，９d は、後ホーク１２の横断方向に対して斜めに当接するので、起立片の起立方向が横断方向と平行になる従来品に比べて上下方向の抵抗を増し、リング錠１の取り付けを縦ずれに対しても強固にする。
【００１６】
なお、図示した実施例は、取付け金具６と別体に取付けバンド７を備えた場合のものであるが、本発明は取付け金具と取付けバンドを十字形に一体に備えることもでき、その場合においても上記実施例と同様の作用、効果を奏することができる。
【００１７】
【発明の効果】
前記のように構成され、上記のように使用されるようにした本発明リング錠は、自転車の後ホークの装着位置において、上下（ホークの長さ方向）と共に左右（ホークの横断方向）のずれが、非平行で台形をなす各起立片の後ホークに対する圧接により防止されるので、長期間安定した強固なリング錠の取り付けができる。
本発明には以上のように優れた効果がある。
【図面の簡単な説明】
【図１】図１は本発明の実施例の一部分解斜視図
【図２】図２はリング錠の裏面図
【図３】図３は自転車の後ホークに取り付けた状態を示す一部切欠平面図である。
【符号の説明】
１  リング錠
２  錠本体
３  開口部
４  錠杆
４’  把手
５  錠機構
５’  キー
６  取付け金具
７  取付けバンド
８  リベット
９  起立片（９a ，９b ，９c ，９d ）
９’  縁辺
１０  ねじ座
１１  長孔
１２  後ホーク
１３  止めねじ
Ａ  間隔
Ｂ  間隔
Ｃ  高さ
Ｄ  高さ
Ｅ  間隙
【図１】
0003831911.tif 000002
【図２】
0003831911.tif 000003
【図３】
0003831911.tif 000004